(57)【要約】  無線パラメータ制御装置（１）は、測定報告収集部（１０）および無線パラメータ決定部（１１）を有する。測定報告収集部（１０）は、基地局（４）によって管理される第１のセル（６２）の無線品質の測定結果を各々が含むとともに、少なくとも１つの移動局（５）によって生成される複数の測定報告を収集する。無線パラメータ決定部（１１）は、複数の測定報告に基づいて、第１のセル（６２）と周辺セル（６１）との間のセルエッジに位置するとみなされるセルエッジ移動局の数が減少するように、第１のセル（６２）のカバレッジを変更可能な無線パラメータの更新値を決定する。
2012081150.tif 000002
【特許請求の範囲】
【請求項１】
基地局によって管理される第１のセルの無線品質の測定結果を各々が含むとともに、少なくとも１つの移動局によって生成される複数の測定報告を収集する測定報告収集手段と、
前記複数の測定報告に基づいて、前記第１のセルと周辺セルとの間のセルエッジに位置するとみなされるセルエッジ移動局の数が減少するように、前記第１のセルのカバレッジを変更可能な無線パラメータの更新値を決定する無線パラメータ決定手段と、
を備える無線パラメータ制御装置。
【請求項２】
前記無線パラメータ決定手段は、前記セルエッジ移動局の数の現在値を求め、前記セルエッジ移動局の数の現在値が減少するように前記更新値を決定する、請求項１に記載の無線パラメータ制御装置。
【請求項３】
前記無線パラメータ決定手段は、前記無線パラメータを変更したと仮定した場合のセルエッジ移動局の数の予測値を求め、前記現在値よりも小さい予測値を与える無線パラメータを前記更新値として決定する、請求項２に記載の無線パラメータ制御装置。
【請求項４】
前記無線パラメータ決定手段は、前記無線パラメータを変更したと仮定した場合に最小の予測値を与える無線パラメータを前記更新値として決定する、請求項３に記載の無線パラメータ制御装置。
【請求項５】
前記無線パラメータ決定手段は、前記セルエッジ移動局の数の過去値と前記現在値を比較し、前記セルエッジ移動局の数が小さくなる方向に前記無線パラメータの現在値を変更することによって前記更新値を決定する、請求項２に記載の無線パラメータ制御装置。
【請求項６】
前記無線パラメータ決定手段は、前記複数の測定報告を用いて把握される前記第１のセルの無線品質の分布において、前記第１のセルの無線品質のサンプル数が現在に比べて少ない位置が前記セルエッジとなるように、前記更新値を決定する、請求項２に記載の無線パラメータ制御装置。
【請求項７】
前記無線パラメータ決定手段は、前記セルエッジ移動局の数を求める際に、前記複数の測定報告の送信元移動局を識別することで、同一の移動局によって生成された測定報告サンプルの重複カウントを除外する、請求項２〜６のいずれか１項に記載の無線パラメータ制御装置。
【請求項８】
前記複数の測定報告の各々は、前記周辺セルの無線品質の測定結果をさらに含む、請求項１〜７のいずれか１項に記載の無線パラメータ制御装置。
【請求項９】
前記セルエッジは、前記第１のセル側の第１のセルエッジ及び前記周辺セル側の第２のセルエッジを含み、
前記無線パラメータ決定手段は、前記第１及び第２のセルエッジに位置するセルエッジ移動局の数が減少するように、前記更新値を決定する、請求項８に記載の無線パラメータ制御装置。
【請求項１０】
前記セルエッジ移動局の数は、前記第１のセルの無線品質と前記周辺セルの無線品質の差を用いて判定される、請求項８又は９に記載の無線パラメータ制御装置。
【請求項１１】
前記無線パラメータ決定手段は、前記第１のセルの無線品質の測定時間に基づいて、複数の時間帯毎に別々の更新値を決定する、請求項１〜１０のいずれか１項に記載の無線パラメータ制御装置。
【請求項１２】
前記第１のセル及び前記周辺セルのうち少なくとも一方のトラフィック負荷を示す負荷情報を取得する負荷取得手段をさらに備え、
前記無線パラメータ決定手段は、前記負荷情報をさらに用いて前記更新値を決定する、請求項１〜１１のいずれか１項に記載の無線パラメータ制御装置。
【請求項１３】
前記無線パラメータ決定手段は、前記周辺セルのトラフィック負荷が所定の基準より小さいことを条件として、前記無線パラメータの更新を行う、請求項１２に記載の無線パラメータ制御装置。
【請求項１４】
前記無線パラメータ決定手段は、前記第１のセルのトラフィック負荷が所定の基準より小さいことを条件として、前記無線パラメータの更新を行う、請求項１２に記載の無線パラメータ制御装置。
【請求項１５】
前記無線パラメータ決定手段は、前記第１のセル及び前記周辺セルのトラフィック負荷の合計が所定の基準より小さいことを条件として、前記無線パラメータの更新を行う、請求項１２に記載の無線パラメータ制御装置。
【請求項１６】
前記無線パラメータ決定手段は、前記セルエッジＵＥ数を減少させることが可能な前記無線パラメータの複数の候補が存在する場合に、前記第１のセル及び前記周辺セルの少なくとも一方のトラフィック負荷を考慮して前記複数の候補から１つの候補を選択する、請求項１２に記載の無線パラメータ制御装置。
【請求項１７】
前記無線パラメータ決定手段は、
前記周辺セルのトラフィック負荷が所定の基準を超える場合、前記セルエッジ移動局数を減少させることが可能な前記無線パラメータの複数の候補の中から、前記第１のセルのカバレッジが最も大きくなる候補を前記更新値として選択し、
前記周辺セルのトラフィック負荷が所定の基準を下回る場合、前記複数の候補の中から、前記第１のセルのカバレッジが最も小さくなる候補を前記更新値として選択する、請求項１６に記載の無線パラメータ制御装置。
【請求項１８】
前記複数の測定報告は、前記第１のセルに接続した移動局によって生成される測定報告、及び前記周辺セルに接続した移動局によって生成される測定報告を含む、請求項１〜１７のいずれか１項に記載の無線パラメータ制御装置。
【請求項１９】
前記無線パラメータは、前記基地局のダウンリンク送信電力、前記基地局が備えるアンテナのチルト角、セル個別オフセットのうち少なくとも１つを含む、請求項１〜１８のいずれか１項に記載の無線パラメータ制御装置。
【請求項２０】
前記無線品質は、共通パイロットチャネル（CPICH：Common Pilot Channel）の受信電力（CPICH RSCP: Received Signal Code Power）、共通パイロットチャネルの受信品質（CPICH Ec/No）、下りリファレンス信号（Downlink Reference Signal）の受信電力（RSRP: Reference Signal Received Power）、下りリファレンス信号の受信品質（RSRQ: Reference Signal Received Quality）のうち少なくとも１つを含む、請求項１〜１９のいずれか１項に記載の無線パラメータ制御装置。
【請求項２１】
前記第１のセル及び前記周辺セルは、前記第１のセルが前記周辺セル内に配置される階層化セル構造を形成する、請求項１〜２０のいずれか１項に記載の無線パラメータ制御装置。
【請求項２２】
請求項１〜２１のいずれか１項に記載の無線パラメータ制御装置と、
移動局と通信可能に構成され、前記更新値に基づいて制御される無線通信手段と、
を備える基地局装置。
【請求項２３】
基地局によって管理される第１のセルの無線品質の測定結果を各々が含むとともに、少なくとも１つの移動局によって生成される複数の測定報告を収集すること、及び
前記複数の測定報告に基づいて、前記第１のセルと周辺セルとの間のセルエッジに位置するとみなされるセルエッジ移動局の数が減少するように、前記第１のセルのカバレッジを変更可能な無線パラメータの更新値を決定すること、
を備える無線パラメータ制御方法。
【請求項２４】
無線パラメータ制御方法をコンピュータに行わせるためのプログラムを格納した非一時的なコンピュータ可読媒体であって、
前記無線パラメータ制御方法は、
基地局によって管理される第１のセルの無線品質の測定結果を各々が含むとともに、少なくとも１つの移動局によって生成される複数の測定報告を収集すること、及び
前記複数の測定報告に基づいて、前記第１のセルと周辺セルとの間のセルエッジに位置するとみなされるセルエッジ移動局の数が減少するように、前記第１のセルのカバレッジを変更可能な無線パラメータの更新値を決定すること、
を備える、
プログラムを格納した非一時的なコンピュータ可読媒体。
【発明の詳細な説明】
【技術分野】
【０００１】
本発明は、無線基地局に適用する無線パラメータの制御、特にセルカバレッジを変更可能な無線パラメータの制御に関する。
【背景技術】
【０００２】
携帯電話網に代表されるセルラ方式の無線通信網では、セルと呼ばれる小ゾーンを多数組み合わせることによって、広域なサービスエリアが構成される。これらのセルは、通常、１つから６つのセルを単位として１つの無線基地局によって管理される。また、セルを跨って端末が移動した際にも継続して通信が行えるように、隣接するセルはカバレッジに重なり（オーバラップ）を持つのが一般的である。【０００３】
無線通信網のオペレータは、加入者に対して高品質な無線通信サービスを提供するために、セルのカバレッジ設計を実施する。通常、専用の測定器を搭載した車両でエリア内を測定する走行試験（Drive-test）を行い、無線品質が不十分な場所（Coverage hole）や、多数のセルから強い干渉を受けている場所（Pilot pollution）などを調査する。そして、オペレータは、調査で判明した不具合を解消するように、無線基地局のセルカバレッジを変更可能な無線パラメータを調節する。セルカバレッジを変更可能な無線パラメータは、例えば、基地局からのパイロット信号・リファレンス信号等の送信電力、基地局アンテナのチルト角である。セルカバレッジは、周辺環境の変化、例えば、新規基地局の設置及びビルの建設などによって変化する。そのため、オペレータは、無線基地局の設置後も定期的にカバレッジ設計を行う必要がある。こうしたカバレッジ設計にかかるコストを削減するために、セルのカバレッジを自律的に最適化する技術が提案されている（例えば特許文献１及び２）。【０００４】
特許文献１に開示された手法によれば、セルを含むネットワーク内に配置された制御装置は、当該セルの無線品質（具体的には、セルカバレッジを規定するパイロット信号の受信電力）の測定結果を含む測定報告を移動局から収集し、無線品質が閾値以下であることを示す測定報告の割合を算出する。そして、当該割合が所定値となるように、パイロット信号の送信電力を調整する。例えば、移動局群からの複数の測定報告を集計した結果、無線品質が閾値以下となる測定情報の割合が相対的に低い場合、制御装置は、周辺セルとのオーバラップが不足と判断してパイロット信号の送信電力を上げる。逆に、無線品質が閾値以下となる測定情報の割合が高い場合には、制御装置は、周辺セルとのオーバラップが過剰（干渉が発生している）と判断してパイロット信号の送信電力を下げる。【０００５】
特許文献２に開示された手法によれば、基地局は、自セルのセルエッジにおいて検出された周辺セルの数を含む報告を移動局から収集し、セルエッジにて検出される周辺セルの数が３つとなるように自セルのダウンリンク送信電力を調整する。すなわち、セルエッジにて検出される周辺セルの数が２以下の場合、基地局は、自セルと周辺セルとのオーバラップが不足と判断してダウンリンク送信電力を上げる。逆に、セルエッジにて検出される周辺セルの数が４以上の場合、基地局は、自セルと周辺セルとのオーバラップが過剰と判断してダウンリンク送信電力を下げる。
【先行技術文献】
【特許文献】
【０００６】
【特許文献１】国際公開第０３／０３６８１５号
【特許文献２】国際公開第２００９／１５２９７８号
【発明の概要】
【発明が解決しようとする課題】
【０００７】
本願の発明者等は、特許文献１及び２に開示された手法を用いると、セルカバレッジの調整（つまりダウンリンク送信電力の調整）によってセルエッジに位置する移動局（以下、セルエッジ移動局又はセルエッジＵＥ）が増加するおそれがあることを見出した。セルエッジでは一般的に無線品質が低いため、セルエッジＵＥの増加は好ましくない。例えば、セルの中心付近のみに移動局が密集している移動局分布を持つセルに特許文献１の手法を適用した場合を考える。この場合、無線品質が低いことを示す測定報告の割合が極端に低くなる。したがって、無線品質が低い測定情報の割合が所定値に達するまでダウンリンク送信電力を上げる調整が行われ、セルカバレッジが拡大する。すなわち、送信電力の調整によって、かえって無線品質の低いセルエッジＵＥを増やしてしまう。【０００８】
この問題は、広域なエリアをカバーするマクロセルの中に、局所的なエリアをカバーするスモールセル(マイクロセル、ピコセル、フェムトセルなど)が配置される階層的なセル環境において特に生じやすい。階層的なセル環境においては、マクロセルとスモールセルとのオーバラップは十分に確保されている場合が多い。しかしながら、特許文献１及び２の手法では、スモールセルにおいて無線品質が低いことを示す測定報告の割合が少ない場合に(あるいは周辺セルの検出数が少ない場合に)、セル間のオーバラップが不足していると判断してしまい、スモールセルのカバレッジの拡大によって無駄な品質劣化(セルエッジＵＥの増加)を招いてしまう。【０００９】
本発明は上記課題を鑑みてなされたものであって、その目的は、無線品質が低いセルエッジＵＥ数の増加を抑制することが可能な無線パラメータ制御装置、基地局装置、無線パラメータ制御方法、およびプログラムを提供することである。
【課題を解決するための手段】
【００１０】
本発明の第１の態様は、無線パラメータ制御装置を含む。当該無線パラメータ制御装置は、測定報告収集部および無線パラメータ決定部を有する。前記測定報告収集部は、基地局によって管理される第１のセルの無線品質の測定結果を各々が含むとともに、少なくとも１つの移動局によって生成される複数の測定報告を収集する。前記無線パラメータ決定部は、前記複数の測定報告に基づいて、前記第１のセルと周辺セルとの間のセルエッジに位置するとみなされるセルエッジ移動局の数が減少するように、前記第１のセルのカバレッジを変更可能な無線パラメータの更新値を決定する。なお、無線パラメータの更新値は、更新後の無線パラメータ値（絶対値）であってもよいし、更新前からの無線パラメータの変化量を示す相対値であってもよい。【００１１】
本発明の第２の態様は、基地局装置を含む。当該基地局装置は、上述した本発明の第１の態様に係る無線パラメータ制御装置と、移動局と通信可能に構成されるとともに、前記更新値に基づいて制御される無線通信部とを有する。【００１２】
本発明の第３の態様は、無線パラメータ制御方法を含む。当該方法は、以下のステップ（ａ）及び（ｂ）を含む。
（ａ）基地局によって管理される第１のセルの無線品質の測定結果を各々が含むとともに、少なくとも１つの移動局によって生成される複数の測定報告を収集すること、及び
（ｂ）前記複数の測定報告に基づいて、前記第１のセルと周辺セルとの間のセルエッジに位置するとみなされるセルエッジ移動局の数が減少するように、前記第１のセルのカバレッジを変更可能な無線パラメータの更新値を決定すること。【００１３】
本発明の第４の態様は、コンピュータプログラムを含む。当該プログラムは、コンピュータに読み込まれて実行されることによって、上述した本発明の第３の態様に係る無線パラメータ制御方法をコンピュータに行わせる。
【発明の効果】
【００１４】
上述した本発明の各態様によれば、無線品質が低いセルエッジＵＥ数の増加を抑制することが可能な無線パラメータ制御装置、基地局装置、無線パラメータ制御方法、およびプログラムを提供できる。
【図面の簡単な説明】
【００１５】
【図１】本発明の実施の形態１にかかる無線パラメータ制御装置を含むネットワークの構成例を示す図である。
【図２】本発明の実施の形態１にかかる無線パラメータ制御装置を含むネットワークの構成例を示す図である。
【図３】本発明の実施の形態１にかかる無線パラメータ制御装置を含むネットワークの構成例を示す図である。
【図４】本発明の実施の形態１にかかる無線パラメータ制御装置を含むネットワークの構成例を示す図である。
【図５】図１に示した無線パラメータ制御装置の構成例を示すブロック図である。
【図６】図１に示したピコ基地局の構成例を示すブロック図である。
【図７】図１に示した無線パラメータ制御装置による無線パラメータの決定手順の第１の具体例を示すフローチャートである。
【図８Ａ】移動局位置におけるピコセル受信電力と周辺セル受信電力の関係の一例を示すグラフである。
【図８Ｂ】測定報告に基づくＲＳＲＰの差の分布の一例を示すヒストグラムである。
【図８Ｃ】セルエッジＵＥ数の現在値および予測値の一例を示すヒストグラムである。
【図９】セルエッジＵＥ数の予測値の算出条件の具体例を示す表である。
【図１０】セルエッジＵＥ数の予測値の算出条件の具体例を示す表である。
【図１１】図１に示した無線パラメータ制御装置による無線パラメータの決定手順の第２の具体例を示すフローチャートである。
【図１２】図１に示した無線パラメータ制御装置による無線パラメータの決定手順の第３の具体例を示すフローチャートである。
【図１３】移動局からの測定報告のサンプル数とピコセル受信電力との関係を示すヒストグラムである。
【図１４】本発明の実施の形態２に係るピコ基地局の構成例を示すブロック図である。
【図１５】図１４に示した無線パラメータ制御装置による無線パラメータの決定手順の第１の具体例を示すフローチャートである。
【図１６】図１４に示した無線パラメータ制御装置による無線パラメータの決定手順の第２の具体例を示すフローチャートである。
【図１７】セルエッジＵＥ数の現在値および予測値の一例を示すヒストグラムである。
【発明を実施するための形態】
【００１６】
以下では、本発明を適用した具体的な実施の形態について、図面を参照しながら詳細に説明する。各図面において、同一又は対応する要素には同一の符号が付されており、説明の明確化のため、必要に応じて重複説明は省略される。
【００１７】
＜発明の実施の形態１＞
図１は、本実施の形態に係る無線パラメータ制御装置１を含むネットワークの構成例を示す図である。マクロ基地局（マクロＢＳ：base station）２は、マクロセル６１を形成し、移動局３との間で双方向の無線通信を行う。以下では、マクロセル６１に接続して通信を行う移動局３をマクロ移動局（マクロＵＥ：User Equipment）と呼ぶ。マクロＢＳ２は、上位ネットワーク（不図示）に接続されており、マクロＵＥ３と上位ネットワークとの間でトラフィックを中継する。上位ネットワークは、無線アクセスネットワーク及びコアネットワークを含む。
【００１８】
ピコ基地局（ピコＢＳ）４は、マクロセル６１内に配置され、マクロセル６１に比べてセルサイズの小さいピコセル６２を形成し、移動局５との間で双方向の無線通信を行う。以下では、ピコセル６２に接続して通信を行う移動局５をピコ移動局（ピコＵＥ）と呼ぶ。ピコＢＳ４は、上位ネットワーク（不図示）に接続されており、ピコＵＥ５と上位ネットワークとの間でトラフィックを中継する。図１の例では、マクロセル６１及びピコセル６２は、階層化セル構造を形成している。すなわち、ピコセル６２は、マクロセル６１のカバレッジに含まれている。
【００１９】
無線パラメータ制御装置１は、少なくとも１つのピコＵＥ５によって生成される複数の測定報告（Measurement Report）を取得する。無線パラメータ制御装置１は、ピコＢＳ４を介して当該測定報告を受信すればよい。当該測定報告は、ピコセル６２の無線品質の測定結果を含む。さらに、当該測定報告は、周辺セル（すなわち図１の例ではマクロセル６１）の無線品質の測定結果を含んでもよい。ピコＵＥ５によって測定されるセルの無線品質の典型的な例は、基地局から送信される無線信号（ダウンリンク信号）の受信信号品質である。受信信号品質は、例えば、パイロット信号・リファレンス信号等の受信電力、ＳＩＮＲ（Signal to Noise Interference Ratio）である。Ｗ−ＣＤＭＡの場合、セルの無線品質は、共通パイロットチャネル（ＣＰＩＣＨ：Common Pilot Channel）の受信電力（CPICH RSCP: Received Signal Code Power）、又はＣＰＩＣＨのEc/Noとすればよい。また、ＬＴＥ（Long Term Evolution）の場合、セルの無線品質は、下りリファレンス信号（Downlink Reference Signal）の受信電力（RSRP: Reference Signal Received Power）、又は受信品質（RSRQ: Reference Signal Received Quality）とすればよい。また、ピコＵＥ５は、セルの無線品質として、アップリンク又はダウンリンクのスループット（データ転送レート）を計測し、スループットの測定結果を報告してもよい。
【００２０】
無線パラメータ制御装置１は、取得した複数の測定報告に基づいて、対象セル（ピコセル６２）と周辺セル（マクロセル６１）との間のセルエッジに位置するとみなされるセルエッジＵＥの数が減少するように、ピコセル６２のカバレッジを変更可能な無線パラメータの更新値を決定する。そして、無線パラメータ制御装置１は、決定した更新値をピコＢＳ４の無線通信部に適用し、ピコセル６２のカバレッジを調整する。セルカバレッジを変更可能な無線パラメータの具体例は、ピコＢＳ４の下り信号（パイロット信号、リファレンス信号など）の送信電力、ピコＢＳ４のアンテナのチルト角である。また、無線パラメータの更新値は、更新後の無線パラメータ値（絶対値）であってもよいし、更新前からの無線パラメータの変化量を示す相対値であってもよい。
【００２１】
また、セルカバレッジを変更可能な無線パラメータとして、周辺のマクロセル６１に対するセル個別電力オフセット値（ＣＩＯ：Cell Individual Offset）を用いてもよい。Ｗ−ＣＤＭＡ及びＬＴＥでは、ＣＩＯは、測定対象のセルのリストとともに基地局からＵＥへと通知される。ＣＩＯは、ハンドオーバに関するパラメータであり、ＵＥが周辺セルの受信電力の測定値に基づいてハンドオーバをトリガする際に、周辺セルの受信電力に対するオフセットとして使用される。対象セル（ピコセル６２）から周辺セル（マクロセル６１）に設定されるＣＩＯが大きいほど、対象セル（ピコセル６２）から周辺セル（マクロセル６１）へのハンドオーバが発生しやすくなる。このため、周辺セル（マクロセル６１）に対するＣＩＯを大きくすることは、対象セル（ピコセル６２）のカバレッジを縮小するのと同様の効果がある。また、セルカバレッジを変更可能な無線パラメータとして、周辺セル（マクロセル６１）から対象セル（ピコセル６２）へのＣＩＯを用いてもよい。対象セル（ピコセル６２）に対するＣＩＯを大きく設定すると、周辺セル（マクロセル６１）から対象セル（ピコセル６２）へのハンドオーバが発生しやすくなり、対象セル（ピコセル６２）のカバレッジを拡大するのと同様の効果が得られる。
【００２２】
無線パラメータ制御装置１は、複数の測定報告を用いてセルエッジＵＥ数を求めればよい。１つの測定報告のサンプルは１つのＵＥに対応するとみなすことができる。このため、無線パラメータ制御装置１は、測定報告のサンプル数をＵＥ数とみなしてセルエッジＵＥ数を推定すればよい。なお、セルエッジＵＥ数を推定する際、無線パラメータ制御装置１は、送信元ＵＥの重複を許容して測定報告のサンプルを単純に集計することに代えて、送信元ＵＥの重複を除外した厳密なサンプル数（厳密なＵＥ数）を集計してもよい。例えば、ＵＥを識別可能なＩＤ（例えば、CRNTI(Connection Radio Network Temporary Identifier)、TMSI(Temporary Mobile Subscriber Identity)、IMSI(International Mobile Subscriber Identity)等）を測定報告に含めるようにし、無線パラメータ制御装置１は、測定報告に含まれるＩＤによって送信元ＵＥを識別すればよい。また、無線パラメータ制御装置１による測定報告の収集期間内における各ＵＥの測定報告の報告回数を例えば１回に制限することで、送信元ＵＥの重複を除外してもよい。
【００２３】
上述したように、本実施の形態に係る無線パラメータ制御装置１は、ＵＥ（ピコＵＥ５又はマクロＵＥ３）によって生成された複数の測定報告を参照し、ピコセル６２とマクロセル６１との間のセルエッジに位置するとみなされるセルエッジＵＥの数が減少するように、ピコセル６２のカバレッジを変更可能な無線パラメータの更新値を決定する。言い換えると、無線パラメータ制御装置１は、ＵＥが少ない場所がセルエッジとなるようにピコセル６２に関する無線パラメータを調整する。このため、本実施の形態によれば、無線品質が低いセルエッジＵＥ数の増加を抑制することができる。
【００２４】
ところで、無線パラメータ制御装置１の配置は、ネットワークアーキテクチャの設計思想に基づいて適宜決定されるものである。例えば、本実施の形態の移動通信システムがＥＰＳ（Evolved Packet System）である場合、図２に示すように、無線パラメータ制御装置１の機能は、コアネットワーク１５０に配置するのではなく、無線リソース管理機能を有するピコＢＳ（ピコeNB（PeNB））４と一体的に配置してもよい。
【００２５】
また、本実施の形態の移動通信システムがＵＭＴＳ（Universal Mobile Telecommunications System）である場合、図３に示すように、無線パラメータ制御装置１の機能をＲＮＣ（Radio Network Controller）１５１に配置してもよい。図２の例では、ＲＮＣ１５１は、マクロセル６１及びピコセル６２の無線リソース管理、マクロＵＥ３及びピコＵＥ５のセル間移動の制御を行う。
【００２６】
また、図４に示すように、コアネットワーク１５０内の管理サーバ１５２に無線パラメータ制御装置１の機能を配置してもよい。図４は、ＵＭＴＳの場合を示しているが、ＥＰＳ等の他の移動通信システムの場合も同様である。
【００２７】
また、無線パラメータ制御装置１が有する機能は、移動通信システム内に分離して配置されてもよい。例えば、図４の例において、測定報告の取得、無線パラメータの決定及び調整機能をＲＮＣ１５１に配置し、ピコセル６２の無線品質の分布解析（セルエッジＵＥ数の計算）の機能を管理サーバ１５２に配置してもよい。
【００２８】
以下では、無線パラメータ制御装置１の構成および無線パラメータ決定動作の具体例について詳しく説明する。図５は、無線パラメータ制御装置１の構成例を示すブロック図である。測定報告収集部１０は、少なくとも１つのピコＵＥ５によって生成された複数の測定報告を取得する。測定報告収集部１０は、複数のピコＵＥ５から測定報告を収集してもよい。また、測定報告収集部１０は、ピコＵＥ５に加えて、マクロＵＥ３によって生成された測定報告を取得してもよい。測定報告収集部１０が取得する測定報告は、少なくともピコセル６２の無線品質の測定結果を含む。当該測定報告は、周辺のマクロセル６１の無線品質の測定結果を含んでもよい。
【００２９】
複数の測定報告を複数のＵＥから取得する場合、測定報告収集部１０は、同一期間内での各ＵＥによる測定結果を収集するとよい。同一期間内で測定されたピコＵＥ５の無線品質を収集することによって、その期間におけるＵＥ配置のスナップショットを得ることができる。また、ピコＵＥ５の数が少ない場合、例えば、複数の測定報告を１つのピコＵＥ５のみから取得する場合、測定報告収集部１０は、異なる時刻及び異なる場所で得られた複数の測定結果を収集すればよい。
【００３０】
無線パラメータ決定部１１は、複数の測定報告を参照し、ピコセル６２の無線品質の分布に基づいてセルエッジＵＥ数の現在値を求める。さらに、無線パラメータ決定部１１は、セルエッジＵＥ数の現在値が減少するように、無線パラメータの更新値を決定する。以下では、無線パラメータが、ピコＢＳ４の送信電力（パイロット信号又はリファレンス信号の送信電力）であるとして説明を行う。無線パラメータ決定部１１は、無線パラメータ（ピコＢＳ４の送信電力）の更新値によってピコＢＳ４の送信電力を調整する。
【００３１】
図６は、ピコＢＳ４の構成例を示すブロック図である。図６において、無線通信部４０は、ピコＵＥ５との間で双方向の無線通信を行う。無線通信部４０は、ピコＵＥ５に対して、制御データおよびユーザデータがエンコードされたダウンリンク無線信号を送信する。また、無線通信部４０は、ピコＵＥ５から送信されるアップリンク無線信号を受信し、上りリンク無線信号から受信データをデコードする。
【００３２】
通信部４１は、コアネットワーク１５０等の上位ネットワークとの間で情報の送受信を行う。なお、通信部４１は、基地局間インタフェース（ＬＴＥのＸ２インタフェース等）をサポートし、他の基地局との間で情報の送受信を行ってもよい。
【００３３】
ピコＵＥ５からの受信データに含まれる測定報告は、無線パラメータ制御装置１に送られる。無線パラメータ制御装置１がピコＢＳ４の外部に配置される場合、無線パラメータ制御装置１は、通信部４１を介して測定報告を取得し、通信部４１を介して無線通信部４０の無線パラメータ（ここでは送信電力）を制御すればよい。無線パラメータ制御装置１がピコＢＳ４と一体的に配置される場合、無線パラメータ制御装置１は、無線通信部４０によってデコードされた受信データから測定報告を取得し、無線通信部４０の送信電力を直接的に制御すればよい。ピコＵＥ５によるセルの無線品質の測定条件および測定報告の報告条件は、予め無線パラメータ制御装置１、ピコＢＳ４、又は上位ネットワーク内の装置からピコＵＥ５に通知すればよい。無線品質の測定条件は、測定周期、測定のトリガ条件（通信開始時など）、測定時刻、測定時間、測定対象の無線品質、測定対象のセル（どのセルを測定するか）等である。測定報告の報告条件は、報告周期、報告のトリガ条件（通信開始時、ハンドオーバ後など）、報告時刻、報告対象の無線品質、報告対象のセル（どのセルに報告するか）等である。
【００３４】
続いて以下では、本実施の形態に係る無線パラメータ制御装置１による無線パラメータ更新値の決定手順に関するいくつかの具体例について説明する。
【００３５】
（第１の具体例）
第１の具体例では、無線パラメータ制御装置１は、複数の測定報告を用いて把握されるピコセル６２の無線品質の分布において、ピコセル６２の無線品質のサンプル数（ＵＥによる報告数）が現在に比べて少ない位置がセルエッジとなるように、無線パラメータの更新値を決定する。より具体的に述べると、無線パラメータ制御装置１は、マクロＵＥ３による測定報告を用いることなくピコＵＥ５による測定報告を用いて、セルエッジＵＥ数の現在値およびピコＢＳ４の送信電力を変更したと仮定した場合のセルエッジＵＥ数の予測値を求める。そして、無線パラメータ制御装置１は、セルエッジＵＥ数の現在値よりも小さいセルエッジＵＥ数の予測値を与える無線パラメータ（ここではピコＢＳ４の送信電力）を、無線パラメータの更新値として決定する。
【００３６】
図７は、第１の具体例を示すフローチャートである。ステップＳ１０１では、無線パラメータ制御装置１の無線パラメータ決定部１１は、ピコＢＳ４の送信電力を許容された範囲内での最大値に設定する。ステップＳ１０２では、測定報告収集部１０は、無線品質の測定条件および測定報告の報告条件を、ピコＢＳ４を介してピコＵＥ５に通知する。さらに、測定報告収集部１０は、マクロＵＥ３がピコセル６２内に移動してピコＵＥ５になることを期待して、無線品質の測定条件および測定報告の報告条件をマクロＵＥ３に通知しても良い。この場合、当該マクロＵＥ３は、ピコセル６２内に移動してピコＵＥ５へと遷移した後に、マクロＵＥ３時に受信した無線品質の測定条件および測定報告の報告条件に基づき、ピコＵＥ５として無線品質の測定および報告を実施すればよい。なお、ステップＳ１０１及びＳ１０２は、無線パラメータ制御装置１以外の他の装置（例えばピコＢＳ４）が行ってもよい。ステップＳ１０３では、測定報告収集部１０は、ピコＵＥ５によって生成された複数の測定報告を、ピコＢＳ４を介して取得する。測定報告収集部１０は、所定量のサンプル数（報告数）に達するまで測定報告の収集を続けてもよいし、所定の期間内において測定報告を収集してもよい。ステップＳ１０４では、無線パラメータ制御装置１の無線パラメータ決定部１１は、複数の測定報告を用いてセルエッジＵＥ数の現在値及び予測値を計算する。セルエッジＵＥ数の現在値及び予測値の計算手法の具体例については後述する。ステップＳ１０５では、無線パラメータ決定部１１は、セルエッジＵＥ数の現在値よりも小さいセルエッジＵＥ数の予測値を与えるピコＢＳ４の送信電力値を更新値として決定する。なお、図７のステップＳ１０１では、送信電力の初期値を最大値としているが、最大値以外の任意の送信電力を初期値としてもよい。
【００３７】
続いて以下では、セルエッジＵＥ数の現在値と、ピコＢＳ４の送信電力を変更した場合に想定されるセルエッジＵＥの予測値の計算手法の具体例について説明する。本明細書における"セルエッジ（セルバウンダリやセルボーダーと言ってもよい）"との用語は、基地局（例えばピコＢＳ４）から遠方であって無線品質が劣化する領域、又はセル間の境界領域を意味する。従って、対象セル（ピコセル６２）の無線品質が所定値以下となる領域、あるいは対象セル（ピコセル６２）と周辺セル（マクロセル６１）との無線品質差が所定の閾値以下となる領域を"セルエッジ"とみなすことができる。
【００３８】
図８Ａは、ピコセル６２のＲＳＲＰ（Ｐｓ）と周辺セル（マクロセル６１）のＲＳＲＰ（Ｐｎ）の関係の一例を示すグラフである。なお、ＲＳＲＰは、ＬＴＥの用語であり、基地局から送信されるリファレンス信号の受信電力を意味する。図８Ａに示すように、ＰｓとＰｎの差が所定の閾値ＴＨ１以下となる領域をセルエッジと定義してもよい。このように定義した場合、図８Ａに示すように、"セルエッジ"は、対象セル側（ピコセル６２側）のセルエッジと、周辺セル側（マクロセル６１側）のセルエッジを含む。
【００３９】
図８Ｂは、ＵＥから収集した複数の測定報告サンプルの各々についてピコセル６２のＲＳＲＰとマクロセル６１のＲＳＲＰの差（Ｐｓ−Ｐｎ）を計算することによって得られる無線品質（ここではＲＳＲＰの差）の度数分布を示すヒストグラムである。図８Ａの定義に従う場合、ＲＳＲＰの差（Ｐｓ−Ｐｎ）が０以上であり閾値ＴＨ１以下であるサンプル数、つまり図８Ｂのハッチングされた範囲内のサンプル数、を集計することで、対象セル（ピコセル６２）側のセルエッジＵＥ数の"現在値"を見積もることができる。
【００４０】
さらに、図８Ｂのヒストグラムを用いることで、対象セル（ピコセル６２）側のセルエッジＵＥ数の"予測値"を見積もることもできる。ピコＢＳ４によるリファレンス信号の送信電力が増加した場合、送信電力の増加分だけＰｓの値が大きくなる。よって、送信電力の増加分だけ図８Ｂのヒストグラム全体が右方向にシフトするとみなすことができる。逆に、ピコＢＳ４によるリファレンス信号の送信電力が減少した場合、送信電力の減少分だけ図８Ｂのヒストグラム全体が左方向にシフトするとみなすことができる。したがって、ピコＢＳ４の送信電力を変更したと仮定した場合に、ＲＳＲＰの差（Ｐｓ−Ｐｎ）が０以上であり閾値ＴＨ１であるサンプル数を集計することで、対象セル側のセルエッジＵＥ数の"予測値"を見積もることができる。
【００４１】
図８Ｃは、対象セル（ピコセル６２）側のセルエッジＵＥ数の"現在値"および"予測値"の見積もり結果を示すヒストグラムである。図８Ｃの横軸は、無線パラメータであるピコＢＳ４の送信電力である。図７に示した手順のように、送信電力を最大値にして無線品質測定が行われた場合、送信電力の最大値（ＴＰｍａｘ）に対する見積もり結果が "現在値"に相当し、その他の見積もり結果が"予測値"に相当する。例えば、無線パラメータ制御装置１は、対象セル側のセルエッジＵＥ数の現在値および予測値の中で最小値を与えるピコＢＳ送信電力（ＴＰｏ）を、無線パラメータの"更新値"とすればよい。最小値を選択することで、最も効果的にセルエッジＵＥ数を削減できる可能性が高い。しかしながら、無線パラメータ制御装置１は、必ずしも最小値を与える送信電力を更新値として選択しなくてもよい。つまり、無線パラメータ制御装置１は、対象セル側のセルエッジＵＥ数の現在値に比べて小さい予測値を与える任意の送信電力を無線パラメータの更新値としてもよい。
【００４２】
以上の図８Ａ、８Ｂ、及び８Ｃを参照した説明では、無線品質としてＲＳＲＰを使用し、セルエッジＵＥ数として対象セル（ピコセル６２）側のセルエッジＵＥ数を見積もる場合について紹介した。しかしながら、図９の一覧表に示すように、無線品質としてＲＳＲＰとは異なる他の品質指標を用いてもよい。また、図１０の一覧表に示すように、セルエッジＵＥ数として周辺セル側をさらに含む両セル側のセルエッジＵＥ数を見積もってもよい。
【００４３】
図９は、対象セル（ピコセル６２）側のセルエッジＵＥ数の予測値の算出条件の５つの例を示している。図９の例１は、ＲＳＲＰの差を用いた条件を示しており、図８Ａ、８Ｂ、及び８Ｃを用いて説明した具体例に対応する。つまり、図９の例１では、以下の式（１）の条件を満たす測定報告サンプルの合計数をセルエッジＵＥ数の予測値とする。式（１）のＤ［ｄＢ］は、送信電力の変更量である。
０＜Ｐｓ−Ｐｎ＋Ｄ＜ＴＨ１      （１）
【００４４】
図９の例２は、送信電力を変更した場合に予想される対象セル（ピコセル６２）のＲＳＲＱの予測値（Ｑｓ´）を求め、Ｑｓ´が所定の閾値ＴＨ２以下である測定報告サンプルの合計数をセルエッジＵＥ数の予測値とする。ＲＳＲＱの定義は、３ＧＰＰの技術仕様 3GPP TS 36.214 V9.2.0 (2010-06) に規定されており、以下の式（２）で表わされる。
ＲＳＲＱ＝Ｎ×ＲＳＲＰ／（Ｅ−ＵＴＲＡ ｃａｒｒｉｅｒ ＲＳＳＩ）    （２）
式（２）のＮは、E-UTRA carrier Received Signal Strength Indicator（RSSI）の測定帯域内のリソースブロック数である。E-UTRA carrier RSSIは、Ｎ個のリソースブロックにわたる測定帯域での総受信電力（total received power）である。ＲＳＲＱの予測値（Ｑｓ´）を求める場合、最も簡便には、（２）式の分母のE-UTRA carrier RSSIと、（２）式の分子のＲＳＲＰが、ピコＢＳ４の送信電力の変更量Ｄ［ｄＢ］に相当する分だけ変化すると仮定して計算すればよい。また、ピコＢＳ４の送信電力の変更によって生じるピコセル６２およびマクロセル６１のトラフィック負荷の変化を予測し、その結果をピコＢＳ４の送信電力の変更後のＲＳＳＩの計算に反映させても良い。
【００４５】
図９の例３は、送信電力を変更した場合に予想される対象セル（ピコセル６２）のＳＩＮＲの予測値（Ｒｓ´）を求め、Ｒｓ´が所定の閾値ＴＨ３以下である測定報告サンプルの合計数をセルエッジＵＥ数の予測値とする。ＳＩＮＲの予測値（Ｒｓ´）を求める場合、最も簡便には、ピコセル６２からの無線信号の受信電力がピコＢＳ４の送信電力の変更量Ｄ［ｄＢ］だけ変化すると仮定して計算すればよい。
【００４６】
図９の例４は、図９の例１の条件および例２の条件を共に満足する測定報告サンプルの合計数をセルエッジＵＥ数の予測値とする。また、図９の例５は、図９の例１の条件および例３の条件を共に満足する測定報告サンプルの合計数をセルエッジＵＥ数の予測値とする。
【００４７】
図１０は、両セル側（ピコセル６２側及びマクロセル６１側）のセルエッジＵＥ数の予測値の算出条件の３つの例を示している。図１０の例６では、以下の式（３）の条件を満たす測定報告サンプルの合計数をセルエッジＵＥ数の予測値とする。ＲＳＲＰの差（Ｐｓ−Ｐｎ）が負の値になる場合も考慮することで、マクロセル６１側のセルエッジを含む両セル側のセルエッジＵＥ数を見積もることが可能となる。
０＜｜Ｐｓ−Ｐｎ＋Ｄ｜＜ＴＨ１      （３）
【００４８】
図１０の例７は、図９の例４に対応している。すなわち、図１０の例７は、例６に示したＲＳＲＰに関する条件と、例２と同様のＲＳＲＱに関する条件を共に満足する測定報告サンプルの合計数をセルエッジＵＥ数の予測値とする。なお、Ｑｎ´は、対象セル（ピコセル６２）の送信電力をＤ［ｄＢ］だけ変更した後の周辺セル（マクロセル６１）のＲＳＲＱの予測値である。（Ｐｓ−Ｐｎ＋Ｄ）が正の値である場合、対象セル（ピコセル６２）の送信電力をＤ［ｄＢ］だけ変更した後も、当該測定報告サンプルが得られた地点では対象セル（ピコセル６２）に接続すると予測できるため、対象セル（ピコセル６２）のＲＳＲＱの予測値（Ｑｓ´）を用いて判定する。一方、（Ｐｓ−Ｐｎ＋Ｄ）が負の値である場合、対象セル（ピコセル６２）の送信電力をＤ［ｄＢ］だけ変更した後は、当該測定報告サンプルが得られた地点では周辺セル（マクロセル６１）に接続すると予測できるため、周辺セル（マクロセル６１）のＲＳＲＱの予測値（Ｑｎ´）を用いて判定する。
【００４９】
図１０の例８は、図９の例５に対応している。すなわち、図１０の例８は、例６に示したＲＳＲＰに関する条件と、例３と同様のＳＩＮＲに関する条件を共に満足する測定報告サンプルの合計数をセルエッジＵＥ数の予測値とする。なお、Ｒｎ´は、周辺セル（マクロセル６１）のＳＩＮＲの予測値である。（Ｐｓ−Ｐｎ＋Ｄ）が正の値である場合、対象セル（ピコセル６２）の送信電力をＤ［ｄＢ］だけ変更した後も、当該測定報告サンプルが得られた地点では対象セル（ピコセル６２）に接続すると予測できるため、対象セル（ピコセル６２）のＳＩＮＲの予測値（Ｒｓ´）を用いて判定する。一方、（Ｐｓ−Ｐｎ＋Ｄ）が負の値である場合、対象セル（ピコセル６２）の送信電力をＤ［ｄＢ］だけ変更した後は、当該測定報告サンプルが得られた地点では周辺セル（マクロセル６１）に接続すると予測できるため、周辺セル（マクロセル６１）のＳＩＮＲの予測値（Ｒｎ´）を用いて判定する。
【００５０】
なお、ネットワークの構成によっては、周辺セルが複数存在することが考えられる。この場合、セルエッジＵＥ数の計算で考慮に入れる周辺セルを以下のようにして選択すればよい。例えば、測定報告毎に、複数の周辺セルの中で最も無線品質（例えばＲＳＲＰ）が高い１つのセルを、セルエッジＵＥ数の計算で考慮に入れる周辺セルとして選択すればよい。また、複数の周辺セルのうち１つの周辺セルを予め選択しておいてもよい。例えば、（１）対象セル（ピコセル６２）との間でＵＥのハンドオーバが最も発生している周辺セル、（２）対象セル（ピコセル６２）から距離が最も近い周辺セル、又は（３）対象セル（ピコセル６２）に接続して通信を行う複数のＵＥによって最も多く検出されている周辺セル、を予め選択すればよい。
【００５１】
（第２の具体例）
以下では、無線パラメータ制御装置１による無線パラメータ更新値の決定手順に関する第２の具体例について説明する。第２の具体例では、無線パラメータ制御装置１は、マクロＵＥ３による測定報告を用いることなくピコＵＥ５による測定報告を用いて、セルエッジＵＥ数の現在値を求める。そして、無線パラメータ制御装置１は、無線パラメータを変更するたびにセルエッジＵＥ数の"現在値"を求め、その"現在値"をセルエッジＵＥ数の"過去値"（すなわち、以前の無線パラメータのもとでのセルエッジＵＥ数）と比較することで、より少ないセルエッジＵＥ数が得られる無線パラメータの値を決定する。
【００５２】
図１１は、第２の具体例を示すフローチャートである。図１１のステップＳ１０１〜Ｓ１０３は、図７のＳ１０１〜Ｓ１０３と同様である。ステップＳ２０４では、無線パラメータ決定部１１は、複数の測定報告を用いてセルエッジＵＥ数の現在値（Ｎ１）を計算する。セルエッジＵＥ数の現在値は、図８Ａ、８Ｂ、８Ｃ、９、及び１０を用いて説明したいずれかの手法によって計算すればよい。図９及び１０の例１〜８のいずれかを利用してセルエッジＵＥ数の現在値を求める場合、送信電力の変更量Ｄをゼロとすればよい。無線パラメータ決定部１１は、ピコＢＳ４の送信電力の更新後の値（Ｎ２）と比較するための過去値として、計算された値Ｎ１を保持する。
【００５３】
ステップＳ２０５では、無線パラメータ決定部１１は、ピコＢＳ４の送信電力をΔＰだけ減少させる。言い換えると、無線パラメータ決定部１１は、ピコＢＳ４の送信電力の現在値をΔＰだけ減じた値を、ピコＢＳ４の送信電力の更新値に決定する。ステップＳ２０６では、測定報告収集部１０は、ピコＢＳ４の送信電力をΔＰだけ減少させる更新を行った後にピコＵＥ５によって生成された複数の測定報告を取得する。ステップＳ２０４では、無線パラメータ決定部１１は、複数の測定報告を用いてセルエッジＵＥ数の現在値（Ｎ２）を計算する。
【００５４】
ステップＳ２０８では、無線パラメータ決定部１１は、セルエッジＵＥ数の現在値（Ｎ２）と過去値（Ｎ１）を比較する。セルエッジＵＥ数の現在値（Ｎ２）が過去値（Ｎ２）より小さい場合、無線パラメータ決定部１１は、現在値（Ｎ２）を新たな過去値（Ｎ１）として保持し、ステップＳ２０５以降の処理を繰り返す（ステップＳ２０９）。一方、セルエッジＵＥ数の現在値（Ｎ２）が過去値（Ｎ２）以上である場合、無線パラメータ決定部１１は、ピコＢＳ４の送信電力をΔＰだけ増加させて処理を終了する（ステップＳ２１０）。
【００５５】
図１１のステップＳ１０１では、送信電力の初期値を最大値としているが、最大値以外の任意の送信電力を初期値としてもよい。また、図１１の手順を変形し、山登り法、及び焼きなまし法などの公知の局所探索アルゴリズム（逐次改善アルゴリズム）を用いて、セルエッジＵＥ数の極小を与える送信電力を求めてもよい。
【００５６】
第２の具体例は、無線パラメータを変更した場合に想定されるセルエッジＵＥ数を予測する代わりに、ピコセル６２のカバレッジを実際に変更しながら（つまりピコＢＳ４の送信電力を実際に変更しながら）、試行錯誤的なアルゴリズムによって無線パラメータ（ピコＢＳ４の送信電力）の最適解を求める。局所探索アルゴリズムを採用する場合、当該アルゴリズムの問題として極小値に収束して最小値を得られない可能性がある。しかしながら、現在の無線パラメータのもとでのセルエッジユーザ数のみを用い、無線パラメータの変更に伴う無線品質の変化を予測する必要がないため、第１の具体例よりも最適な解を得られる可能性もある。なお、局所探索アルゴリズムを用いることなく、全ての最大値から最小値の間でピコＢＳ４の送信電力を実際に変更して測定報告を収集し、セルエッジＵＥ数が最小となる送信電力値を求めてもよい。
【００５７】
上述した第１の具体例と第２の具体例を組み合わせてもよい。例えば、第１の具体例に従って送信電力の更新値を求めた後に、第２の具体例に従って送信電力の微調整を行ってもよい。第１及び第２の具体例の組合せによって、より最適な（つまり、セルエッジＵＥ数をより減少させることが可能な）無線パラメータの更新値を得ることができる。
【００５８】
（第３の具体例）
上述した第１及び第２の具体例では、マクロＵＥ３による測定報告を用いることなくピコＵＥ５による測定報告を用いて、マクロセル６１とピコセル６２との間のセルエッジＵＥ数を求める例を紹介した。本具体例では、ピコＵＥ５による測定報告及びマクロＵＥ３による測定報告を用いて、マクロセル６１とピコセル６２との間のセルエッジＵＥ数を求める例を示す。
【００５９】
図１２は、第３の具体例を示すフローチャートである。ステップＳ３０１では、無線パラメータ決定部１１は、ピコＢＳ４の送信電力を初期値に設定する。当該初期値は、ピコＢＳ４の送信電力の許容範囲内における任意の値であればよい。ステップＳ３０２では、測定報告収集部１０は、無線品質の測定条件および測定報告の報告条件をピコＵＥ５及びマクロＵＥ３に通知する。マクロＵＥ３への通知は、ピコＢＳ４から送信される無線信号を用いて行ってもよい。また、マクロＵＥ３への通知は、マクロＢＳ２を介して行ってもよい。この場合、無線パラメータ制御装置１とマクロＢＳ２との間で利用可能な制御インタフェースを使用して、マクロＵＥ３への通知をマクロＢＳ２に供給すればよい。例えば、無線パラメータ制御装置１がピコＢＳ４に配置される場合には、基地局間の制御インタフェース（ＬＴＥのＸ２インタフェース等）を用いてもよいし、上位装置（ＲＮＣ等）との制御インタフェース（ＵＭＴＳのｌｕｂインタフェース等）を用いてもよい。
【００６０】
ステップＳ３０３では、測定報告収集部１０は、ピコＵＥ５及びマクロＵＥ３によって生成された複数の測定報告を取得する。無線パラメータ制御装置１がピコＢＳ４に配置される場合、ピコＢＳ４は以下の方法によってマクロＵＥ３からの測定報告を取得すればよい。第１の方法として、マクロセル６１に接続している最中にマクロＵＥ３が測定したピコセル６２の無線品質を含む測定報告を、ハンドオーバ／セル再選択によってマクロＵＥ３がピコセル６２に接続した際にピコＢＳ４に対して報告させればよい。また、第２の方法として、ピコＢＳ４は、マクロＵＥ３がマクロＢＳ２に送信した測定報告を、基地局間の制御インタフェース（ＬＴＥのＸ２インタフェース等）を用いてマクロＢＳ２から受信してもよい。
【００６１】
図１２のステップＳ１０４及びＳ１０５は、マクロセル６１とピコセル６２との間のセルエッジＵＥ数の計算にピコＵＥ５だけでなくマクロＵＥ３からの測定報告サンプルも利用する点を除いて、図７に示したステップＳ１０４及びＳ１０５と同様とすればよい。図１２のステップＳ１０４におけるセルエッジＵＥ数の現在値及び予測値の計算は、図８Ａ、８Ｂ、８Ｃ、９、及び１０を参照して説明したいずれかの具体例を用いて行えばよい。また、これらの具体例に代えて、以下に示す手法によってセルエッジＵＥ数の現在値及び予測値の計算を行ってもよい。
【００６２】
図１３は、ピコＵＥ５及びマクロＵＥ３からの測定報告サンプルの分布を示すヒストグラムである。図１３の横軸は、ピコセルのＲＳＲＰ（Ｐｓ）である。ＵＥ数が十分に多く、測定報告サンプルが十分に多く得られる場合、ピコセル６２とマクロセル６１とのセルエッジでは、ピコＵＥ５からの測定報告サンプル数とマクロＵＥ３からの測定報告サンプル数が互いに近づくと考えられる。したがって、図１３に示すように、測定報告を用いて把握される無線品質（図１３の例ではピコセルのＲＳＲＰ）の分布において、ピコＵＥ５からの測定報告サンプル数とマクロＵＥ３からの測定報告サンプル数が最も近い点をセルエッジとみなしてもよい。そして、セルエッジでの測定報告サンプル数の合計をセルエッジＵＥ数の"現在値"とみなせばよい。
【００６３】
さらに、セルエッジＵＥ数の予測値を得るためには、ＵＥのハンドオーバ／セル再選択の条件に基づいて、ピコＢＳ４の送信電力を変更したと仮定した場合のピコＵＥ５及びマクロＵＥ３の接続先セルの変更を測定報告サンプル毎に予測すればよい。例えば、測定報告サンプル毎にピコＢＳ４の送信電力を変更したと仮定した場合のピコセルのＲＳＲＰを予測し、ピコセルのＲＳＲＰがマクロセルのＲＳＲＰよりも大きい場合に、当該測定報告サンプルはピコＵＥから得られるものとみなす。そして、接続先セルの変更が行われたと仮定した場合のピコＵＥ５及びマクロＵＥ３の測定報告サンプルの予測結果を用いて、ピコＵＥ５からの測定報告サンプル数とマクロＵＥ３からの測定報告サンプル数が最も近い点をセルエッジとみなし、当該セルエッジでの測定報告サンプル数の合計をセルエッジＵＥ数の"予測値"として算出する。
【００６４】
第３の具体例によれば、複数のマクロＵＥ３のうち、マクロセル６１とピコセル６２との間のセルエッジに位置するＵＥも考慮できるため、セルエッジＵＥ数をより正確に評価できる。なお図１２のフローチャートは、セルエッジＵＥ数の予測値を求める第１の具体例（図７）の変形として示した。しかしながら、ピコＵＥ５からの測定報告に加えてマクロＵＥ３からの測定報告を利用することは、第２の具体例で説明した試行錯誤的な制御に適用してもよい。
【００６５】
＜発明の実施の形態２＞
本実施の形態では、上述した発明の実施の形態１の変形について説明する。具体的には、本実施の形態に係る無線パラメータ制御装置７は、セルのトラフィック負荷をさらに考慮し、上述した無線パラメータ制御装置１と同様に無線パラメータの更新値を決定する。セルのトラフィック負荷としては、例えば、ＬＴＥのリソースブロックの使用率、アップリンク又はダウンリンクの最大送信電力に対する使用電力の比率、所定時間内の通信発生回数などを用いればよい。
【００６６】
図１４は、無線パラメータ制御装置７の構成例を示すブロック図である。なお、無線パラメータ制御装置７を含むネットワーク構成例は、図１〜４等と同様である。図１４中の測定報告収集部１０の機能及び動作は、図５に示した対応する符号の要素と同様である。負荷取得部７２は、周辺セル（マクロセル６１）のトラフィック負荷情報、若しくは対象セル（ピコセル６２）のトラフィック負荷情報、又はこれら両方のセルの負荷情報を取得する。負荷取得部７２によるセルの負荷情報の取得は、当該セルを管理する基地局から上位ネットワークを経由して行われてもよいし、基地局間の制御インタフェースを用いて行われてもよい。
【００６７】
無線パラメータ決定部７１は、セルエッジＵＥ数の現在値が減少するように無線パラメータの更新値を決定するに際して、セルのトラフィック負荷を考慮する。例えば、周辺セル（マクロセル６１）のトラフィック負荷が高いときに対象セル（ピコセル６２）のカバレッジを縮小すると、周辺セルのトラフィック輻輳を招くおそれがある。そこで、一例として、無線パラメータ決定部７１は、周辺セル（マクロセル６１）のトラフィック負荷が低いことを条件として、対象セル（ピコセル６２）のカバレッジを縮小する無線パラメータ調整を行うこととしてもよい。
【００６８】
図１５は、図７に示した無線パラメータの更新値の決定手順の変形を示すフローチャートである。図１５の例では、ステップＳ４００が挿入されている。ステップＳ４００では、周辺のマクロセル６１のトラフィック負荷が所定の閾値以下であるかを判定する。そして、周辺のマクロセル６１のトラフィック負荷が所定の閾値以下であることを条件として（ステップＳ４００でＹＥＳ）、ピコセル６２のカバレッジを縮小する可能性のあるピコＢＳ４の送信電力の更新値の決定を行う（ステップＳ１０４及びＳ１０５）。
【００６９】
また、他の例として、無線パラメータ決定部７１は、対象セル（ピコセル６２）のトラフィック負荷が所定の閾値以下である場合に、ピコセル６２のカバレッジを変更するようにしてもよい。また、さらに他の例として、無線パラメータ決定部７１は、対象セル（ピコセル６２）のトラフィック負荷及び周辺セル（マクロセル６１）のトラフィック負荷の両方を用いてもよい。例えば、無線パラメータ決定部７１は、ピコセル６２のトラフィック負荷とマクロセル６１のトラフィック負荷の和が所定の閾値以下である場合に、ピコセル６２のカバレッジを変更するようにしてもよい。
【００７０】
さらに、無線パラメータ決定部７１は、セルエッジＵＥ数を減少させることが可能な無線パラメータ更新値の候補が複数存在する場合に、セルのトラフィック負荷を考慮して複数の候補から１つの候補を選択してもよい。図１６は、セルのトラフィック負荷を考慮して複数の候補から１つの候補を選択する手順の具体例を示すフローチャートである。図１６のステップＳ１０１〜Ｓ１０４は、図７に示した同一符号のステップＳ１０１〜Ｓ１０４と同様である。
【００７１】
ステップＳ５０５では、無線パラメータ決定部７１は、セルエッジＵＥ数の現在値よりも小さいセルエッジＵＥ数の予測値を与えるピコＢＳ４の送信電力値を候補値として選択する。例えば、無線パラメータ決定部７１は、図１７に示すように、セルエッジユーザ数の現在値及び予測値の中で最小値Ｎｍｉｎを与える候補値（候補＃１）と、最小値との差が所定値Ｈ以内である他の候補値（候補＃２及び＃３）を選択してもよい。
【００７２】
ステップＳ５０５で選択された候補値が１つのみである場合（ステップＳ５０６でＮＯ）、無線パラメータ決定部７１は、その１つの候補値を無線パラメータの更新値として決定すればよい（ステップＳ５０７）。一方、ステップＳ５０５において複数の候補値が選択された場合（ステップＳ５０６でＹＥＳ）、無線パラメータ決定部７１は、周辺セル（マクロセル６１）のトラフィック負荷が所定の閾値以下であるかを判定する（ステップＳ５０８）。そして、マクロセル６１のトラフィック負荷が閾値以下である場合（ステップＳ５０８でＹＥＳ）、無線パラメータ決定部７１は、複数の候補値のうちでピコＢＳ４の送信電力が最小の候補値（ピコセル６２のカバレッジが最も小さくなる候補値）を更新値として決定する（ステップＳ５０９）。また、マクロセル６１のトラフィック負荷が閾値を超える場合（ステップＳ５０８でＮＯ）、無線パラメータ決定部７１は、複数の候補値のうちでピコＢＳ４の送信電力が最大の候補値（ピコセル６２のカバレッジが最も大きくなる候補値）を更新値として決定する（ステップＳ５０９）。
【００７３】
図１６の手順によれば、周辺セルのトラフィック負荷が大きい場合に、対象セルのカバレッジの縮小を抑制することができる。よって、周辺セルのトラフィック輻輳の発生を抑制できる。
【００７４】
セルのトラフィック負荷のさらに他の利用方法について以下に述べる。無線パラメータ決定部７１は、ＵＥからの測定報告を用いてセルエッジＵＥ数を見積もる際に、対象セル（ピコセル６２）のトラフィック負荷が所定の条件を満たす時間帯に測定された測定報告（測定結果）のみを用いてもよい。例えば、無線パラメータ決定部７１は、ピコセル６２のトラフィック負荷が相対的に高い時間帯の測定結果のみを用いて無線品質の分布を解析し、セルエッジＵＥ数を見積もり、無線パラメータの更新値を決定するとよい。これにより、トラフィックのピーク時に適合したカバレッジ設計を行うことができる。
【００７５】
＜その他の実施の形態＞
発明の実施の形態１及び２では、セルカバレッジを変更可能な無線パラメータの具体例として基地局の送信電力を調整する場合について詳しく説明した。しかしながら、既に述べたように、無線パラメータは、基地局のアンテナのチルト角やＣＩＯであってもよい。アンテナチルト角を調整する場合、チルト角の変更に応じた無線品質の変化量を予め統計的にモデル化しておけばよい。これにより、アンテナチルト角の調整を上述した送信電力の調整と同様に取り扱うことができる。
【００７６】
発明の実施の形態１及び２では、対象セルを管理する基地局の送信電力の送信電力に下限値を設定し、無線パラメータ決定部１１は、当該下限値を下回らない範囲で送信電力を調整してもよい。例えば、送信電力の下限値は、カバレッジホールを生じないために必要とされる送信電力値に設定すればよい。また、送信電力の下限値は、対象セル内で最低限のユーザスループットを確保するために必要とされる送信電力値に設定してもよい。
【００７７】
また、セル内でのＵＥ分布は時間帯によって変化することが多い。このため、発明の実施の形態１及び２において、無線パラメータ制御装置１及び７は、複数の測定報告を無線品質の測定が行われた時間帯に基づいて分割して集計し、複数の時間帯毎に別々の無線パラメータの更新値を決定してもよい。これにより、時間帯毎に適した無線パラメータ（つまりセルカバレッジ）を決定でき、セルエッジＵＥ数を効果的に削減できる。例えば、昼間の時間帯と夜間の時間帯に分けてもよい。この場合、昼間の時間帯に適した無線パラメータを決定する際には、昼間に測定された無線品質の測定結果の分布に基づいてセルエッジＵＥ数を求め、無線パラメータを決定すればよい。
【００７８】
また、セルエッジＵＥの条件を満たす測定報告の数を無線パラメータ制御装置１及び７にて集計する代わりに、当該条件を満たす測定情報のみをＵＥが報告するようにしても良い。例えば、発明の実施の形態１にて（第２の具体例）として述べた試行錯誤的な制御において、セルエッジＵＥ数を０＜Ｐｓ−Ｐｎ＜ＴＨ１という条件にて集計する場合について考える。この場合、無線パラメータ制御装置１は、当該条件を満たす測定報告のサンプル数を集計する代わりに、当該条件を満たす測定報告のみをＵＥから報告するようにＵＥに対して指示をしても良い。
【００７９】
また、発明の実施の形態１及び２では、マクロセル６１及びピコセル６２の階層化セル環境（Heterogeneous Network環境）に関して具体的に説明した。しかしながら、発明の実施の形態１及び２は、例えば、マクロセルとマイクロセル、マクロセルとフェムトセル、マイクロセルとフェムトセル等の他の階層化セル環境にも適用可能である。また、発明の実施の形態１及び２は、カバレッジの小さいセルがカバレッジの大きいセルに完全に覆われる厳密な階層化セル環境でなく、隣接するセル同士が部分的なオーバラップを持つ環境にも適用可能である。さらにまた、発明の実施の形態１及び２は、同程度のカバレッジを持つセル同士（例えばマクロセル同士）が隣接配置された環境にも適用可能である。発明の実施の形態１及び２は、これらのセル環境においても、セルエッジＵＥ数の減少に寄与できる。
【００８０】
発明の実施の形態１及び２で述べた無線パラメータ制御装置１及び７による無線パラメータの更新処理は、ＡＳＩＣ（Application Specific Integrated Circuit）、ＤＳＰ（Digital Signal Processor）等の半導体処理装置を用いて実現してもよい。また、無線パラメータ制御装置１及び７による無線パラメータの更新処理は、マイクロプロセッサ等のコンピュータにプログラムを実行させることによって実現してもよい。具体的には、図７、１１、１２、１５、又は１６のいずれかに示したアルゴリズムをコンピュータに行わせるための命令群を含むプログラムを作成し、当該プログラムをコンピュータに供給すればよい。
【００８１】
このプログラムは、様々なタイプの非一時的なコンピュータ可読媒体（non-transitory computer readable medium）を用いて格納され、コンピュータに供給される。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００８２】
さらに、本発明は上述した実施の形態のみに限定されるものではなく、既に述べた本発明の要旨を逸脱しない範囲において種々の変更が可能であることは勿論である。
【００８３】
この出願は、２０１０年１２月１７日に出願された日本出願特願２０１０−２８１４３０を基礎とする優先権を主張し、その開示の全てをここに取り込む。
【符号の説明】
【００８４】
１  無線パラメータ制御装置
２  マクロ基地局（マクロＢＳ）
３  マクロ移動局（マクロＵＥ）
４  ピコ基地局（ピコＢＳ）
５  ピコ移動局（ピコＵＥ）
７  無線パラメータ制御装置
１０  測定報告収集部
１１  無線パラメータ決定部
４０  無線通信部
４１  通信部
６１  マクロセル
６２  ピコセル
７１  無線パラメータ決定部
７２  負荷取得部
１５０  コアネットワーク
１５１  ＲＮＣ（Radio Network Controller）
１５２  管理サーバ
【図１】
2012081150.tif 000003
【図２】
2012081150.tif 000004
【図３】
2012081150.tif 000005
【図４】
2012081150.tif 000006
【図５】
2012081150.tif 000007
【図６】
2012081150.tif 000008
【図７】
2012081150.tif 000009
【図８Ａ】
2012081150.tif 000010
【図８Ｂ】
2012081150.tif 000011
【図８Ｃ】
2012081150.tif 000012
【図９】
2012081150.tif 000013
【図１０】
2012081150.tif 000014
【図１１】
2012081150.tif 000015
【図１２】
2012081150.tif 000016
【図１３】
2012081150.tif 000017
【図１４】
2012081150.tif 000018
【図１５】
2012081150.tif 000019
【図１６】
2012081150.tif 000020
【図１７】
2012081150.tif 000021
【手続補正書】
【提出日】平成25年5月17日(2013.5.17)
【手続補正２】
【補正対象書類名】特許請求の範囲
【補正対象項目名】全文
【補正方法】変更
【補正の内容】
【特許請求の範囲】
【請求項１】
基地局によって管理される第１のセルの無線品質の測定結果を各々が含むとともに、少なくとも１つの移動局によって生成される複数の測定報告を収集する測定報告収集手段と、
前記複数の測定報告に基づいて、前記第１のセルと周辺セルとの間のセルエッジに位置するとみなされるセルエッジ移動局の数が減少するように、前記第１のセルのカバレッジを変更可能な無線パラメータの更新値を決定する無線パラメータ決定手段と、
を備える無線パラメータ制御装置。
【請求項２】
前記無線パラメータ決定手段は、前記セルエッジ移動局の数の現在値を求め、前記セルエッジ移動局の数の現在値が減少するように前記更新値を決定する、請求項１に記載の無線パラメータ制御装置。
【請求項３】
前記無線パラメータ決定手段は、前記無線パラメータを変更したと仮定した場合のセルエッジ移動局の数の予測値を求め、前記現在値よりも小さい予測値を与える無線パラメータを前記更新値として決定する、請求項２に記載の無線パラメータ制御装置。
【請求項４】
前記無線パラメータ決定手段は、前記無線パラメータを変更したと仮定した場合に最小の予測値を与える無線パラメータを前記更新値として決定する、請求項３に記載の無線パラメータ制御装置。
【請求項５】
前記無線パラメータ決定手段は、前記セルエッジ移動局の数の過去値と前記現在値を比較し、前記セルエッジ移動局の数が小さくなる方向に前記無線パラメータの現在値を変更することによって前記更新値を決定する、請求項２に記載の無線パラメータ制御装置。
【請求項６】
前記無線パラメータ決定手段は、前記複数の測定報告を用いて把握される前記第１のセルの無線品質の分布において、前記第１のセルの無線品質のサンプル数が現在に比べて少ない位置が前記セルエッジとなるように、前記更新値を決定する、請求項２に記載の無線パラメータ制御装置。
【請求項７】
前記無線パラメータ決定手段は、前記セルエッジ移動局の数を求める際に、前記複数の測定報告の送信元移動局を識別することで、同一の移動局によって生成された測定報告サンプルの重複カウントを除外する、請求項２〜６のいずれか１項に記載の無線パラメータ制御装置。
【請求項８】
前記複数の測定報告の各々は、前記周辺セルの無線品質の測定結果をさらに含む、請求項１〜７のいずれか１項に記載の無線パラメータ制御装置。
【請求項９】
前記セルエッジは、前記第１のセル側の第１のセルエッジ及び前記周辺セル側の第２のセルエッジを含み、
前記無線パラメータ決定手段は、前記第１及び第２のセルエッジに位置するセルエッジ移動局の数が減少するように、前記更新値を決定する、請求項８に記載の無線パラメータ制御装置。
【請求項１０】
前記セルエッジ移動局の数は、前記第１のセルの無線品質と前記周辺セルの無線品質の差を用いて判定される、請求項８又は９に記載の無線パラメータ制御装置。
【請求項１１】
前記無線パラメータ決定手段は、前記第１のセルの無線品質の測定時間に基づいて、複数の時間帯毎に別々の更新値を決定する、請求項１〜１０のいずれか１項に記載の無線パラメータ制御装置。
【請求項１２】
前記第１のセル及び前記周辺セルのうち少なくとも一方のトラフィック負荷を示す負荷情報を取得する負荷取得手段をさらに備え、
前記無線パラメータ決定手段は、前記負荷情報をさらに用いて前記更新値を決定する、請求項１〜１１のいずれか１項に記載の無線パラメータ制御装置。
【請求項１３】
前記無線パラメータ決定手段は、前記周辺セルのトラフィック負荷が所定の基準より小さいことを条件として、前記無線パラメータの更新を行う、請求項１２に記載の無線パラメータ制御装置。
【請求項１４】
前記無線パラメータ決定手段は、前記第１のセルのトラフィック負荷が所定の基準より小さいことを条件として、前記無線パラメータの更新を行う、請求項１２に記載の無線パラメータ制御装置。
【請求項１５】
前記無線パラメータ決定手段は、前記第１のセル及び前記周辺セルのトラフィック負荷の合計が所定の基準より小さいことを条件として、前記無線パラメータの更新を行う、請求項１２に記載の無線パラメータ制御装置。
【請求項１６】
前記無線パラメータ決定手段は、前記セルエッジ移動局の数を減少させることが可能な前記無線パラメータの複数の候補が存在する場合に、前記第１のセル及び前記周辺セルの少なくとも一方のトラフィック負荷を考慮して前記複数の候補から１つの候補を選択する、請求項１２に記載の無線パラメータ制御装置。
【請求項１７】
前記無線パラメータ決定手段は、
前記周辺セルのトラフィック負荷が所定の基準を超える場合、前記セルエッジ移動局の数を減少させることが可能な前記無線パラメータの複数の候補の中から、前記第１のセルのカバレッジが最も大きくなる候補を前記更新値として選択し、
前記周辺セルのトラフィック負荷が所定の基準を下回る場合、前記複数の候補の中から、前記第１のセルのカバレッジが最も小さくなる候補を前記更新値として選択する、請求項１６に記載の無線パラメータ制御装置。
【請求項１８】
前記複数の測定報告は、前記第１のセルに接続した移動局によって生成される測定報告、及び前記周辺セルに接続した移動局によって生成される測定報告を含む、請求項１〜１７のいずれか１項に記載の無線パラメータ制御装置。
【請求項１９】
前記無線パラメータは、前記基地局のダウンリンク送信電力、前記基地局が備えるアンテナのチルト角、セル個別オフセットのうち少なくとも１つを含む、請求項１〜１８のいずれか１項に記載の無線パラメータ制御装置。
【請求項２０】
前記無線品質は、共通パイロットチャネル（CPICH：Common Pilot Channel）の受信電力（CPICH RSCP: Received Signal Code Power）、共通パイロットチャネルの受信品質（CPICH Ec/No）、下りリファレンス信号（Downlink Reference Signal）の受信電力（RSRP: Reference Signal Received Power）、下りリファレンス信号の受信品質（RSRQ: Reference Signal Received Quality）のうち少なくとも１つを含む、請求項１〜１９のいずれか１項に記載の無線パラメータ制御装置。
【請求項２１】
前記第１のセル及び前記周辺セルは、前記第１のセルが前記周辺セル内に配置される階層化セル構造を形成する、請求項１〜２０のいずれか１項に記載の無線パラメータ制御装置。
【請求項２２】
請求項１〜２１のいずれか１項に記載の無線パラメータ制御装置と、
移動局と通信可能に構成され、前記更新値に基づいて制御される無線通信手段と、
を備える基地局装置。
【請求項２３】
基地局によって管理される第１のセルの無線品質の測定結果を各々が含むとともに、少なくとも１つの移動局によって生成される複数の測定報告を収集すること、及び
前記複数の測定報告に基づいて、前記第１のセルと周辺セルとの間のセルエッジに位置するとみなされるセルエッジ移動局の数が減少するように、前記第１のセルのカバレッジを変更可能な無線パラメータの更新値を決定すること、
を備える無線パラメータ制御方法。
【請求項２４】
無線パラメータ制御方法をコンピュータに行わせるためのプログラムであって、
前記無線パラメータ制御方法は、
基地局によって管理される第１のセルの無線品質の測定結果を各々が含むとともに、少なくとも１つの移動局によって生成される複数の測定報告を収集すること、及び
前記複数の測定報告に基づいて、前記第１のセルと周辺セルとの間のセルエッジに位置するとみなされるセルエッジ移動局の数が減少するように、前記第１のセルのカバレッジを変更可能な無線パラメータの更新値を決定すること、
を備える、
プログラム。
【国際調査報告】
2012081150.tif 000022
2012081150.tif 000023